(57)【要約】【課題】本発明は情報機器の起動方法及び情報機器に関し、カバーを開けると同時に希望のプログラムを立ち上げることができる情報機器の起動方法及び情報機器を提供することを目的としている。【解決手段】カバー１を開くことにより第１の部分と第２の部分に分割されるように構成された情報機器において、前記第１の部分又は第２の部分の何れかに設けられたシステムの種類の数だけのスイッチ６，７と、前記スイッチ６，７が押された時にカバー１が開くように構成されたカバー開き機構と、前記スイッチ６，７の内のどのスイッチが押されたかを検出するスイッチ検出手段１０と、該スイッチ検出手段１０により検出されたシステムの起動を行なうシステム起動手段１０と、を有して構成される。【選択図】図１
2007257445.tif 000002
【特許請求の範囲】
【請求項１】
カバーを開くことにより第１の部分と第２の部分に分割されるように構成された情報機器の起動方法であって、
前記第１の部分又は第２の部分の何れかにシステムの種類の数だけのスイッチを設けておき、
該スイッチを押すことによりカバーを開くと同時に、押されたスイッチに対応するシステムが起動するようにした
ことを特徴とする情報機器の起動方法。
【請求項２】
カバーを開くことにより第１の部分と第２の部分に分割されるように構成された情報機器において、
前記第１の部分又は第２の部分の何れかに設けられたシステムの種類の数だけのスイッチと、
前記スイッチが押された時にカバーが開くように構成されたカバー開き機構と、
前記スイッチの内のどのスイッチが押されたかを検出するスイッチ検出手段と、
該スイッチ検出手段により検出されたシステムの起動を行なうシステム起動手段と、
を有することを特徴とする情報機器。
【請求項３】
カバーを開くことにより第１の部分と第２の部分に分割されるように構成された情報機器において、
前記第１の部分又は第２の部分の何れかに設けられたシステムの種類の数だけのクリックが設けられたスライドスイッチと、
前記スライドスイッチが所定のクリック位置に位置した時にカバーが開くように構成されたカバー開き機構と、
前記スライドスイッチがクリック位置のどの位置に位置決めされたかを検出する位置検出手段と、
該位置検出手段により検出されたシステムの起動を行なうシステム起動手段と、
を有することを特徴とする情報機器。
【発明の詳細な説明】
【技術分野】
【０００１】
本発明は情報機器の起動方法及び情報機器に関する。
【背景技術】
【０００２】
近年のノートパソコン（ＰＣ）は、ＯＳ（オペレーティングシステム）起動のメインボタン（スイッチ）以外にテレビ（ＴＶ）等を簡易起動させるボタン（スイッチ）が設けられている。ユーザはノートパソコンのＬＣＤカバーを開けた後、自分が起動したい機能のボタンを押して起動させる。つまり、ユーザはノートパソコンが閉じている状態から自分の起動したい機能を動作させるまでに、ＬＣＤカバーを開ける、起動したい機能のボタンを押すという２段階の操作をしている。
【０００３】
図５はノートパソコンを開いた状態を示す図である。１は表示部（ＬＣＤカバー）であり、２は本体であるロアカバーである。３はロアカバー２の上に設けられたキーボード等のパームレストである。ロアカバー２と表示部１とは、係合部４を介して開閉動作を行なうようになっている。
【０００４】
このようなノートパソコンでは、システムの電源を投入するための電源スイッチが設けられており、この電源スイッチの押し下げによってシステムの電源が投入された時にＢＩＯＳ（Ｂａｓｉｃ  Ｉｎｐｕｔ  Ｏｕｔｐｕｔ  Ｓｙｓｔｅｍ）によるシステムチェックや初期化処理を経た後、このＢＩＯＳによって、予め設定されたメモリデバイスの所定の領域に格納されたＯＳが主記憶にロードされて起動される。
【０００５】
従来のこの種の装置では、第１のＯＳと第２のＯＳとが存在する時に、電源投入当初から所望の状態（第１のＯＳ又は第２のＯＳの何れか一方）でシステムを起動させることができるコンピュータシステムが知られている（例えば特許文献１参照）。また、ノートパソコンを立ち上げた後、複数のＯＳを一つのメニューに表示させておき、ユーザの選択によりその内の一つを選択させるようにした技術が知られている（例えば特許文献２参照）。また、複数のＯＳを外部より選択可能なようにした技術も知られている（例えば特許文献３参照）。
【特許文献１】特開２０００−２０２８５号公報（段落００１５〜００３０、図１〜図５）
【特許文献２】特開２００３−１５０３７９号公報（段落０００７〜００１２、図１〜図３）
【特許文献３】特開昭６１−２２１９２１号公報（第２頁左上欄第１９行〜同頁左下欄第１７行、第１図）
【発明の開示】
【発明が解決しようとする課題】
【０００６】
ユーザはノートパソコンが閉じてある状態から自分の起動したい機能を動作させるまでに、ＬＣＤカバーを開ける操作と、起動したい機能のボタンを押すという２段階の操作をする必要がある。また、ＯＳの起動、テレビの起動等、現在の技術では起動に時間がかかっており、ユーザは起動するまで待つという不便を強いられている。
【０００７】
本発明はこのような課題に鑑みてなされたものであって、カバーを開けると同時に希望のプログラムを立ち上げることができる情報機器の起動方法及び情報機器を提供することを目的としている。
【課題を解決するための手段】
【０００８】
（１）請求項１記載の発明は、カバーを開くことにより第１の部分と第２の部分に分割されるように構成された情報機器の起動方法であって、前記第１の部分又は第２の部分の何れかにシステムの種類の数だけのスイッチを設けておき、該スイッチを押すことによりカバーを開くと同時に、押されたスイッチに対応するシステムが起動するようにしたことを特徴とする。
（２）請求項２記載の発明は、カバーを開くことにより第１の部分と第２の部分に分割されるように構成された情報機器において、前記第１の部分又は第２の部分の何れかに設けられたシステムの種類の数だけのスイッチと、前記スイッチが押された時にカバーが開くように構成されたカバー開き機構と、前記スイッチの内のどのスイッチが押されたかを検出するスイッチ検出手段と、該スイッチ検出手段により検出されたシステムの起動を行なうシステム起動手段と、を有することを特徴とする。
（３）請求項３記載の発明は、カバーを開くことにより第１の部分と第２の部分に分割されるように構成された情報機器において、前記第１の部分又は第２の部分の何れかに設けられたシステムの種類の数だけのクリックが設けられたスライドスイッチと、前記スライドスイッチが所定のクリック位置に位置した時にカバーが開くように構成されたカバー開き機構と、前記スライドスイッチがクリック位置のどの位置に位置決めされたかを検出する位置検出手段と、  該位置検出手段により検出されたシステムの起動を行なうシステム起動手段と、を有することを特徴とする。
【発明の効果】
【０００９】
（１）請求項１記載の発明によれば、スイッチを押すことによりカバーを開くと同時に、押されたスイッチに対応するプログラムが起動するようにしたので、カバーを開けると同時に希望のプログラムを立ち上げることができる。
（２）請求項２記載の発明によれば、スイッチを押すことによりカバーを開くと同時に、押されたスイッチに対応するプログラムが起動するようにしたので、カバーを開けると同時に希望のプログラムを立ち上げることができる。
（３）請求項３記載の発明によれば、通常のスイッチの代わりにスライドスイッチを用いて同様の操作を行わせることにより、カバーを開けると同時に希望のプログラムを立ち上げることができる。
【発明を実施するための最良の形態】
【００１０】
以下、図面を参照して本発明の実施の形態例を詳細に説明する。図１は本発明の一実施の形態例を示す構成図である。図５と同一のものは、同一の符号を付して示す。図において、１は表示部としてのＬＣＤバックカバーである。２はロアカバーである。５はＬＣＤバックカバー１をロアカバー２とを閉じるためのラッチ部である。６はロアカバー２側に設けられたシステムボタン１、７は同じくロアカバー２側に設けられたシステムボタン２である。これらシステムボタンは、システムの数だけ設けられる。ロアカバー２側には、ラッチ部５をひっかける機構（図示せず）が設けられており、ＬＣＤカバー１とロアカバー２とが閉じている状態では、この機構とラッチ部５とが嵌合している。
【００１１】
ここで、スイッチボタン１又はスイッチボタン２とが押し下げされると、前記嵌合部が外れて図５に示すような開いた状態にすることができる。このような開いた状態にするために、カバー開き機構が設けられている。このカバー開き機構は従来の技術を用いることができる。ここで、システムボタン１が押されたか、システムボタン２が押されたかでノートパソコン内の動作が異なってくる。なお、本発明はノートパソコンが閉じられている状態で、必要な回路にはパワーが供給されていることが前提となる。
【００１２】
図２は起動信号入力回路の一実施の形態例を示す図である。図において、ＳＷはそれぞれシステム１側に設けられたスイッチ、システム２側に設けられたスイッチである。
これらスイッチＳＷの一端はコモンラインに接続されており、他方は抵抗Ｒを介して電圧Ｖｃｃに接続されている。この状態では、スイッチＳＷがオンになると、信号は“０”になり、スイッチＳＷがオフになると、信号は“１”になる。ここでは、システム識別のための信号がローアクティブの場合について示す。何れかのスイッチが押されると、スイッチＳＷの接点は閉じて“０”レベル信号がＣＰＵ１０に入力される。ＣＰＵ１０はどのポートに“０”信号が入力されたかで、システムプログラム１を起動すべきかシステムプログラム２を起動すべきかを判断する。例えば、システム１スイッチＳＷが押された場合、ＣＰＵ１０には“０”信号が入力され、ＣＰＵ１０はシステム１信号が入力されたと判断して、システム１プログラムを起動する。そして、カバーが開いた状態でノートパソコンの全ての回路にパワーが供給され、完全な動作が可能となる。
【００１３】
このように、この実施の形態例によれば、スイッチを押すことによりカバーを開くと同時に、押されたスイッチに対応するプログラム、例えばＯＳが起動するようにしたので、カバーを開けると同時に希望のプログラムを立ち上げることができる。
【００１４】
図３は本発明の他の実施の形態例を示す構成図であり、ＬＣＤロック部外見図である。図において、１はＬＣＤカバー、２０はＬＣＤカバー１の側面に設けられたスライドスイッチである。該スライドスイッチ２０はクリックを有しており、クリック点にロック（Ｌｏｃｋ）と、ＯＳと、ＴＶの位置がそれぞれ表示されている。２１はＬＣＤカバー１をロアカバーに引っかけるためのフック部である。
【００１５】
（ａ）はスライドスイッチ２０のクリック位置がＬｏｃｋにある場合を示している。この場合は、フック部２１がロアカバー（図示せず）に引っかかってＬＣＤカバー１がクローズ（閉じた）状態にある。ＯＳを起動させる時には、（ｂ）に示すようにスライドスイッチ２０のクリック位置がＯＳにあるようにする。この状態では、フック部２１はロアカバー部から離れ、ＬＣＤカバー１を開くことができる。この状態では、ＬＣＤカバー１を開くと同時に、ＯＳ状態を示す信号が図２に示すようにＣＰＵに通知され、ＣＰＵはこの通知を基に、ＯＳ状態であると判断し、ＯＳを起動する。
【００１６】
（ｃ）は、スライドスイッチ２０のクリック位置がＴＶにある場合を示している。この状態では、フック部２１はロアカバー部から離れ、ＬＣＤカバー１を開くことができる。この状態では、ＬＣＤカバー１を開くと同時に、ＴＶ状態を示す信号が図２に示すようにＣＰＵに通知され、ＣＰＵはこの通知を基にＴＶ状態であると判断して、ＴＶ鑑賞用のインスタントを起動する。
【００１７】
この場合も、スライドスイッチを所定のクリック位置に設定することによりカバーを開くと同時に、設定されたクリック位置に対応するプログラム、例えばＯＳが起動するようにしたので、カバーを開けると同時に希望のプログラムを立ち上げることができる。
【００１８】
図４はＬＣＤカバーの開閉状態を示す図である。図１、図３と同一のものは、同一の符号を付して示す。（ａ）はＬＣＤカバー１がクローズ状態を、（ｂ）はＬＣＤカバー１がオープン状態をそれぞれ示している。（ａ）に示すように、フック部２１がロアカバー２に引っかけられているので、ＬＣＤカバー１とロアカバー（下筐体）２とが、フック部２１により嵌合している。（ｂ）に示す状態は、スライドスイッチ２０が所定のクリック位置に位置決めされており、ＬＣＤカバー１はオープン状態にある。更に、フック部２１がロアカバー２から外れるので、ユーザはＬＣＤカバーを開くことができる。
【００１９】
ＬＣＤカバー１を開くと、ノートパソコンは、図５に示すような開いた状態となる。同時に、スライドスイッチ２０のクリック位置に対応した信号がＣＰＵに入力されるようになっており、ＣＰＵはその位置に応じたプログラムを認識し、該当するプログラムが起動され、ノートパソコンは選択されたプログラムを実行するようになる。
【００２０】
この実施の形態例によれば、スライドスイッチをスライドすることによりカバーを開くと同時に、クリック位置に対応するプログラム、例えばＯＳが起動するようにしたので、カバーを開けると同時に希望のプログラムを立ち上げることができる。
【００２１】
上述の実施の形態例では、情報機器としてノートパソコンの場合を例にとった説明したが、本発明はこれに限るものではなく、携帯型の情報機器であれば、等しく本発明を適用することができる。
【図面の簡単な説明】
【００２２】
【図１】本発明の一実施の形態例を示す図である。
【図２】起動信号入力回路の一実施の形態例を示す図である。
【図３】ＬＣＤロック部外見図である。
【図４】ＬＣＤカバーの開閉状態を示す図である。
【図５】ノートパソコンを開いた状態を示す図である。
【符号の説明】
【００２３】
１    ＬＣＤバックカバー
２    ロアカバー
５    ラッチ部
６    システムボタン
７    システムボタン
【図１】
2007257445.tif 000003
【図２】
2007257445.tif 000004
【図３】
2007257445.tif 000005
【図４】
2007257445.tif 000006
【図５】
2007257445.tif 000007